(57)【特許請求の範囲】
【請求項１】
持ち運び可能であって、筐体に局部洗浄のための洗浄液を貯める洗浄液タンクと、この洗浄液タンク内の洗浄液を噴出させるポンプ装置と、このポンプ装置によって圧送された洗浄液が通過する洗浄液流路と、この洗浄液流路の先端に設けられた噴出口と、前記洗浄液タンク内の洗浄液を加熱する発熱源とを備え、この発熱源を触媒燃焼器で構成し、前記触媒燃焼器は燃焼用触媒が２００℃以上で触媒燃焼するように設定され、前記触媒燃焼器と燃料タンクとの間に弁を設け、洗浄液タンク内に取り付けた温度検知手段の信号で弁を開閉するように構成して、洗浄液の温度を３５℃近傍に保持する携帯用洗浄装置。
【請求項２】
持ち運び可能であって、筐体に局部洗浄のための洗浄液を貯める洗浄液タンクと、この洗浄液タンク内の洗浄液を噴出させるポンプ装置と、このポンプ装置によって圧送された洗浄液が通過する洗浄液流路と、この洗浄液流路の先端に設けられた噴出口と、前記洗浄液流路を加熱する発熱源とを備え、この発熱源を触媒燃焼器で構成し、前記触媒燃焼器は燃焼用触媒が２００℃以上で触媒燃焼するように設定され、前記触媒燃焼器と燃料タンクとの間に弁を設け、洗浄液タンク内に取り付けた温度検知手段の信号で弁を開閉するように構成して、洗浄液の温度を３５℃近傍に保持する携帯用洗浄装置。
【発明の詳細な説明】
【０００１】
【発明の属する技術分野】
本発明は、発熱源を備えた携帯用洗浄装置に関するものである。
【０００２】
【従来の技術】
従来のこの種の携帯用洗浄装置は特開平７−２５５６３５号公報に記載されているようなものが一般的であった。この携帯用洗浄装置は図６に示すように持ち運び可能であって、筐体に局部洗浄のための洗浄液を貯める貯留タンク２１と、この貯留タンク２１内の洗浄液を噴出する噴出機構２２と、複数個併設され、夫々の一部が破砕の容易に形成された気密ケース２３と、この気密ケース内に収納され、破砕箇所２４から侵入した空気と反応して発熱する化学的発熱剤２５からなる加熱体とから構成されている。
【０００３】
そして上記化学的発熱剤２５の熱で貯留タンク２１内の洗浄液を温めてから噴出させ、局部を洗浄するようにようになっていた。
【０００４】
【発明が解決しようとする課題】
しかしながら上記従来の携帯用洗浄装置装置では、貯留タンク２１内の洗浄液を化学的発熱剤２５で加熱する構成となっているので、使用する毎に化学的発熱剤２５の交換が必要で手間がかかり、また化学的発熱剤２５を常備しておかねばならず不便であるという課題があった。
【０００５】
【課題を解決するための手段】
本発明は上記課題を解決するため、洗浄液タンクを触媒燃焼器で加熱する構成としたものである。
【０００６】
上記発明によれば、洗浄液を加熱するための発熱源を触媒燃焼器としたため、燃料タンクへ一度燃料補給をすれば、燃料がなくなるまで何度も繰り返し洗浄液を加熱できるので使用するときの手間がかからない。
【０００７】
【発明の実施の形態】
本発明の請求項１にかかる携帯用洗浄装置は持ち運び可能であって、筐体に局部洗浄のための洗浄液を貯める洗浄液タンクと、この洗浄液タンク内の洗浄液を噴出させるポンプ装置と、このポンプ装置によって圧送された洗浄液が通過する洗浄液流路と、この洗浄液流路の先端に設けられた噴出口と、前記洗浄タンクを加熱する発熱源とを有し、さらにこの発熱源を触媒燃焼器で構成し、前記触媒燃焼器は燃焼用触媒が２００℃以上で触媒燃焼するように設定され、前記触媒燃焼器と燃料タンクとの間に弁を設け、洗浄液タンク内に取り付けた温度検知手段の信号で弁を開閉するように構成して、洗浄液の温度を３５℃近傍に保持したものである。そして、洗浄液を触媒燃焼器で加熱する構成としたため、燃焼用の燃料を貯めておく燃料タンクへ一度燃料を補給をしておけば、燃料がなくなるまで何度も繰り返し洗浄液を加熱できるので使用するときの手間がかからない。
【０００８】
本発明の請求項２にかかる携帯用洗浄装置は持ち運び可能であって、筐体に局部洗浄のための洗浄液を貯める洗浄液タンクと、この洗浄液タンク内の洗浄液を噴出させるポンプ装置と、このポンプ装置によって圧送された洗浄液が通過する洗浄液流路と、この洗浄液流路の先端に設けられた噴出口と、前記洗浄液流路の一部を加熱する発熱源とを有し、さらにこの発熱源を触媒燃焼器で構成し、前記触媒燃焼器は燃焼用触媒が２００℃以上で触媒燃焼するように設定され、前記触媒燃焼器と燃料タンクとの間に弁を設け、洗浄液タンク内に取り付けた温度検知手段の信号で弁を開閉するように構成して、洗浄液の温度を３５℃近傍に保持したものである。そして、触媒燃焼器の燃焼熱で洗浄液流路内の洗浄液を瞬間的に加熱するため、洗浄液タンク内の洗浄液が昇温するのを待つことなくすぐに使用できる。
【０００９】
【実施例】
以下、本発明の実施例について図面を用いて説明する。
【００１０】
（実施例１）
図１に基づいて本発明の実施例１の携帯洗浄装置を説明する。図１において、５は触媒燃焼器、６は放電を利用した点火装置、７は燃料タンク、８は電磁弁、９はガス噴出ノズル、１０は燃焼用触媒である。触媒燃焼器５は熱伝導性のよい材料を介して燃料タンク７に取り付けている。
【００１１】
次に動作、作用を説明すると、電磁弁８を開いてガス噴出ノズル９より燃料ガスを噴出させ点火装置６により着火すると燃焼し火炎が発生する。燃焼の熱で燃焼用触媒１０が加熱され、燃焼用触媒１０の温度が２００℃以上になると触媒燃焼が開始する。触媒燃焼器５の温度が上昇し、洗浄液タンク１内の洗浄液は加熱される。洗浄液タンク１内の加熱された洗浄液はポンプ装置２によって圧送されて洗浄液流路３を通過し、噴出口４より噴出される。
【００１２】
（実施例２）
図２に基づいて本発明の実施例２の携帯用洗浄装置を説明する。なお、以下の文章において図１と同一構成要素については同一符号を付し説明は省略する。図２において、図１と異なる点を説明する。３はポンプ装置２によって圧送された洗浄液が通過する洗浄液流路であり、この洗浄液流路３の一部を加熱する触媒燃焼器５が洗浄液流路３に密着するように設けられている。
【００１３】
次に動作、作用について説明すると、洗浄液タンク１内の洗浄液はポンプ装置２によって圧送され洗浄液流路３を通過するとき触媒燃焼器５によって加熱される。そして加熱された洗浄液は噴出口５より噴出される。
【００１４】
（実施例３）
図３に基づいて本発明の実施例３の携帯用洗浄装置を説明する。
【００１５】
図３において、温度検知手段としてのサーミスタ１１は洗浄液タンク１内に取り付けられ、洗浄液の温度を検知する。サーミスタ１１の信号により電磁弁８を開閉する制御部１２は、洗浄液の温度が局部を洗浄するときに人体が快適に感じるよう３５℃近傍になるように、サーミスタ１１の温度が３２℃〜３８℃のとき電磁弁８を開閉するように設定されている。
【００１６】
次に動作、作用を説明すると、電磁弁８を開いてガス噴出ノズル９より燃料ガスを噴出させ点火装置６により着火すると燃焼し火炎が発生する燃焼の熱で燃焼用触媒１０が加熱され、燃焼用触媒１０の温度が２００℃以上になると触媒燃焼が開始する。触媒燃焼器５の温度が上昇し、洗浄液タンク１内の洗浄液は加熱される。洗浄液が３８℃以上になるとサーミスタ１１の信号により制御部１２は、電磁弁８を閉じて燃料ガスの供給を止め、サーミスタ１１の温度が３２℃以下になれば制御部１２が電磁弁８を開けて燃料ガスの供給を再開し、洗浄液の温度が３５℃近傍に保持される。この３５℃近傍に保持された洗浄液タンク１内の洗浄液はポンプ装置２によって圧送されて洗浄液流路３を通過し、噴出口４より噴出される。
【００１７】
（実施例４）
図４に基づいて本発明の実施例４の携帯洗浄装置を説明する。
【００１８】
図４において、１３は熱伝導性の良い材料を介して洗浄液タンク１に配設された電気ヒータである。
【００１９】
次に動作、作用を説明すると、電気ヒータ１３を通電すると洗浄液タンク１内の洗浄液は加熱される。そしてこの加熱された洗浄液タンク１内の洗浄液はポンプ装置２によって圧送されて洗浄液流路３を通過し、噴出口４より噴出される。
【００２０】
（実施例５）
図５に基づいて本発明の実施例５の携帯洗浄装置を説明する。
【００２１】
図５において、電気ヒータ１３を通電するとこれと熱伝導のよい材料を介して配設された洗浄液タンク１内の洗浄液は加熱される。洗浄液が３８℃以上になるとサーミスタ１１の信号により制御部１２は電気ヒータ１３への電源の通電を止め、サーミスタ１１の温度が３２℃以下になれば制御部１２が電気ヒータ１３への通電を再開し、洗浄液の温度が３５℃近傍に保持される。この３５℃近傍に保持された洗浄液タンク１内の洗浄液はポンプ装置２によって圧送されて洗浄液流路３を通過し、噴出口４より噴出される。
【００２２】
【発明の効果】
以上説明したように本発明に係る携帯用洗浄装置は、洗浄液タンク内の洗浄液を加熱する発熱源を有し、さらにこの発熱源を触媒燃焼器で構成しているので、燃焼用の燃料を貯めておく燃料タンクへ一度燃料を補給しておけば、燃料がなくなるまで何度も繰り返し洗浄液を加熱できるので使用するときの手間がかからない。
【図面の簡単な説明】
【図１】  本発明の実施例１における携帯用洗浄装置の構成図
【図２】  本発明の実施例２における携帯用洗浄装置の構成図
【図３】  本発明の実施例３における携帯用洗浄装置の構成図
【図４】  本発明の実施例４における携帯用洗浄装置の構成図
【図５】  本発明の実施例５における携帯用洗浄装置の構成図
【図６】  従来の携帯用洗浄装置の構成図
【符号の説明】
１  洗浄液タンク
２  ポンプ装置
３  洗浄液流路
４  噴出口
５  触媒燃焼器
６  点火装置
７  燃料タンク
８  電磁弁
９  ガス噴出ノズル
１０  燃焼用触媒
１１  サーミスタ
１２  制御部
１３  電気ヒータ
【図１】
0003826527.tif 000002
【図２】
0003826527.tif 000003
【図３】
0003826527.tif 000004
【図４】
0003826527.tif 000005
【図５】
0003826527.tif 000006
【図６】
0003826527.tif 000007